(57)【要約】【課題】ラップフィルム用収納箱の前板に設けられているフラップの浮き上がりを大きくして、収納箱側に切れ残ったフィルム先端部をさらに摘まみやすくする。【解決手段】前板１、底板、後板３、及び脇板４の各面で形成される上部が開口する収納室Ｍと、該開口を密閉可能にする蓋板５と収納箱の前板１を覆う方向に延出した掩蓋片６からなる蓋体Ｎと、を有するラップフィルム用収納箱１００であって、前板１の少なくとも一か所に、底板に近づくにつれ前板１から離間するフラップＱが設けられており、フラップＱの少なくとも一か所に、折り曲げ片Ｑ’が設けられている。【選択図】図５
2017007678.tif 000002
【特許請求の範囲】
【請求項１】
前板、底板、後板、及び脇板の各面で形成される上部が開口する収納室と、該開口を密閉可能にする蓋板と収納箱の前板を覆う方向に延出した掩蓋片からなる蓋体と、を有するラップフィルム用収納箱において、
前記前板の少なくとも一か所に、前記底板に近づくにつれ前記前板から離間するフラップが設けられており、
前記フラップの少なくとも一か所に、折り曲げ片が設けられている、ラップフィルム用収納箱。
【請求項２】
前記折り曲げ片の折り曲げ方向が、前記ラップフィルム用収納箱の内部方向である、請求項１に記載のラップフィルム用収納箱。
【請求項３】
前記フラップと、前記折り曲げ片とを分ける折り線の、長手方向の長さをａとし、前記折り曲げ片の底縁の、長手方向の長さをｂとした時にａ＜ｂとなる、請求項１または２に記載のラップフィルム用収納箱。
【請求項４】
前記フラップは、前記前板長手方向の中央部を含む少なくとも一か所に設けられている、請求項１〜３のいずれか１項に記載のラップフィルム用収納箱。
【請求項５】
前記フラップの少なくとも一か所にエンボスが設けられている、請求項１〜４のいずれか１項に記載のラップフィルム用収納箱。
【請求項６】
前記フラップに、前記ラップフィルムを仮留めする仮留め部材が設けられている、請求項１〜５のいずれか１項に記載のラップフィルム用収納箱。
【請求項７】
ラップフィルム巻回体が、請求項１〜６のいずれか１項に記載のラップフィルム用収納箱に収容された、ラップフィルム収容体。
【発明の詳細な説明】
【技術分野】
【０００１】
本発明は、ラップフィルム用収納箱に関する。特に食品包装用のラップフィルムに対して好適に使用することができる。
【背景技術】
【０００２】
ラップフィルムは、紙製の芯体に巻回されてフィルム巻回体を構成し、当該フィルム巻回体が、紙製の直方体状のラップフィルム収納箱に収納されている。このラップフィルム収納箱は、上面が開口しフィルム巻回体を収納する収納部と、当該上面開口を開閉する蓋部とを有し、ラップフィルムの使用時には、収納部内のフィルム巻回体からラップフィルムを所定の長さまで引出し、蓋部と収納部位の前板部分でラップフィルムを挟み、切り取る。この前板部分には切り残されたラップフィルムが収納箱に巻戻ることを防止する為の仮留め部材が設けられていることが一般的である。
【０００３】
しかしながら、収納部側に切り残されたラップフィルムの先端部が収納箱の前板面に張りつく場合が多く、加えてフィルムの材質が薄く透明であることから、次の使用に際してラップフィルムの先端部が摘まみ難いという問題があった。
【０００４】
この問題を解決する為、ラップフィルムを摘み挙げる箇所に穴を設置、または該当部分に付与したフラップを前方に起こす、等の工夫でラップフィルムの先端部をつまみ易くさせる方法が提案されている（特許文献１参照）。また、予め前面壁の一部を浮き上がらせておく手段として、第１壁体と第２壁体とを折り曲げてなる前面壁の第１壁体部分にフラップを形成する切り線を、その両端部が第１壁体と第２壁体との折り線まで延びるように形成し、第１壁体と第２壁体とが平坦な状態に復帰しようとする現象を利用する方法が提案されている（特許文献２参照）。さらにフラップを前板前幅に亘って設置し、フラップを反発力で浮き上がる現象を利用する方法が提案されている（特許文献３参照）。
【先行技術文献】
【特許文献】
【０００５】
【特許文献１】特開平０８−１１３２４７号公報
【特許文献２】特開２００２−２７４５３４号公報
【特許文献３】特許第４４０８１３９号公報
【発明の概要】
【発明が解決しようとする課題】
【０００６】
しかしながら、特許文献１に記載されている穴を開けるものでは、実質的につまみ易さの効果は小さく、時としてラップフィルムの先端部が穴を通して収納箱内のロール本体に貼り付いて逆につまみ難くなる可能性がある。また、浮き上がらせたフラップと共にラップフィルムの先端部をつまみ上げた場合、ラップフィルムがフラップから剥がれず貼り付いていると、フラップの両端部から破壊が進行し、その部分が収納箱から除去されてしまう可能性もある。
【０００７】
特許文献２は、素材の反発力を利用してフラップを予め浮き上がらせており、二重貼り合せにしている前面壁部分の頂点部分までフラップの切り線が付与されているので、ラップフィルムと共にフラップを摘まみ上げてもフラップが除去されることは無い。しかし、フラップ片は前面壁頂点部分を基点としてほぼ回動自由になるので、フラップにフィルム仮留め部材を設けている場合、ラップフィルムのみをつまみ上げてもフラップがラップフィルムから離れ難くなるため、ラップフィルムのスムーズな引出し操作が阻害される。また、前面壁長手方向の長さに対して上記フラップの幅が小さいので、そのぶん復帰力が小さく、長期間蓋体が閉じられた状態で保管された場合、ラップフィルムを浮き上げる効果が小さくなる問題がある。
【０００８】
特許文献３は、素材の反発力が前板全幅に亘っており、フラップをラップフィルムと共に持ち上げた場合でも応力がフラップ全体に分散される為、フラップが除去されることは無いが、折り線から十分の力で折った収納箱においてはフラップの浮き上がりは十分とは言えなかった。
【０００９】
そこで本発明の目的は、ラップフィルム用収納箱の前板に設けられているフラップの浮き上がりを大きくして、収納箱側に切れ残ったフィルム先端部をさらに摘まみやすくしたラップフィルム用収納箱を提供することである。
【課題を解決するための手段】
【００１０】
本発明者らは、上記問題を解決する為に検討し、本発明に想到した。本発明に係るラップフィルム用収納箱は、前板、底板、後板、及び脇板の各面で形成される上部が開口する収納室と、該開口を密閉可能にする蓋板と収納箱の前板を覆う方向に延出した掩蓋片からなる蓋体と、を有するラップフィルム用収納箱において、前板の少なくとも一か所に、前記底板に近づくにつれ前板から離間するフラップが設けられており、フラップの少なくとも一か所に、折り曲げ片が設けられている。
【００１１】
このように構成すると、折り曲げ片が元の状態に復元しようとする力が働き、該折り曲げ片の底縁と前板とが接触し、前板に復元に対する反発力が働き、フラップの浮き幅が増大する為、ラップフィルムを摘まみ易くすることができる。
【００１２】
また、本発明に係るラップフィルム用収納箱は、折り曲げ片の折り曲げ方向が、ラップフィルム用収納箱の内部方向であることを特徴とする。
【００１３】
このように構成すると、フラップの浮き幅がさらに増大する。
【００１４】
また、本発明に係るラップフィルム用収納箱は、フラップと折り曲げ片とを分ける折り線の、長手方向の長さをａとし、折り曲げ片の底縁の、長手方向の長さをｂとした時にａ＜ｂとなる。
【００１５】
このように構成すると、折り曲げ片が折り曲げ方向とは逆となる元の状態に戻ろうとした際に、長手方向の長さの差により生じた係止部に引っ掛かる為、容易に係止させ、それ以上の戻りを防ぐことができる。
【００１６】
また、本発明に係るラップフィルム用収納箱は、フラップが前板の長手方向の中央部を含む少なくとも一か所に設けられている。
【００１７】
このように構成すると、フィルムを摘まむ位置となる長手方向の中央部におけるフラップの浮き幅が増大する。
【００１８】
また、本発明に係るラップフィルム用収納箱は、フラップの少なくとも一か所にエンボスが設けられている。
【００１９】
このように構成すると、エンボスを付与した一定の領域の反りが増大し、フラップの浮きがさらに上積みされる為、浮き幅が増大する。
【００２０】
また、本発明に係るラップフィルム用収納箱は、フラップに仮留め部材が設けられている。
【００２１】
このように構成すると、フラップによる浮き幅増大と共に、ラップフィルムの飛出しを防止することが出来る。
【発明の効果】
【００２２】
本発明のラップフィルム用収納箱は、前板に設けられているフラップの浮き上がりが大きくなる為、ラップフィルムを容易に摘まむことができる。
【図面の簡単な説明】
【００２３】
【図１】本発明のラップフィルム用収納箱の展開図の一例である。
【図２】図１のラップフィルム用収納箱を組み立て、開封片を除去した後の蓋体を開けた状態を示す側面図である。
【図３】本発明のラップフィルム用収納箱に設置するフラップで、本発明のフラップに付与する折り曲げ片の形状の例を示す部分図である。
【図４】本発明のラップフィルム用収納箱に設置するフラップを形成する切れ目の別の例の全体形状を示す部分図である。
【図５】本発明のラップフィルム用収納箱に設置するフラップの別の例の全体形状を示す部分図である。
【図６】従来のフラップを備えたラップフィルム用収納箱の収納室部分を示す斜視図である。
【図７】本発明のラップフィルム用収納箱に設置するフラップ及びフラップに付与する折り曲げ片の別の例の全体形状を示す部分図である。
【図８】実施例１〜１４および比較例１におけるラップフィルム用収納箱のフラップ数、折り曲げ片の向き、フラップに付与するエンボス、および中央部凹凸差評価を示す表である。
【図９】実施例１〜１４および比較例１におけるラップフィルム用収納箱のフラップ数、エンボス方向、中央部のエンボスの有無、および中央部反発力評価を示す表である。
【発明を実施するための形態】
【００２４】
本発明の実施形態について、以下具体的に説明する。なお、以下の実施の形態は、本発明を説明するための例示であり、本発明はその実施の形態のみに限定されるものではない。同一の要素には同一の符号を付し、重複する説明は省略する。また、図面中、上下左右等の位置関係は、特に断らない限り、図面に示す位置関係に基づくものとする。さらに、図面の寸法比率は、図示の比率に限定されるものではない。
【００２５】
図１はラップフィルム用収納箱１００の展開図の一例であり、その展開されたものは、ガイド片１２を有する縁折片１０、補助脇板１３を有する前板１、脇板４を有する底板２、補助脇板１４を有する後板３、掩蓋片脇板９を有する蓋板５、補助脇板１５を有する掩蓋片６を順次連接してなり、且つ掩蓋片６の先端部には切り取り線７を介して開封片８が、そして該先端部裏面には開封片８を剥がすことにより露出する切断刃Ｋが設けられて構成されている。なお、前板１、底板２、後板３及び脇板４により収納室Ｍが形成され、蓋板５、掩蓋片６、開封片８、切断刃Ｋ及び掩蓋片脇板９により蓋体Ｎが形成される。図１の左右方向が、ラップフィルム用収納箱１００の長手方向である。
【００２６】
上記補助脇板１３、１４、１５は糊代兼補強として機能し、ガイド片１２は後述するフィルム端部の傷付き防止効果を奏するものである。また、前板１の前面の上部には、粘着性を有するフィルム仮留め部材Ｒが形成されていることが好ましい。
【００２７】
図２は図１で示したラップフィルム用収納箱１００を組み立てた状態を示す側面図であり（開封片８は除去されている）、図３はラップフィルム用収納箱１００に設置するフラップＱの形状の例を示す部分図であり、図４はフラップＱを形成する切れ目の別の例を示す部分図である。図５はフラップＱに付与するエンボスＥの例を示す斜視図であり、図６は従来のフラップを備えたラップフィルム用収納箱の収納室部分を示す斜視図である。図７はフラップＱ及びフラップＱに付与する折り曲げ片Ｑ’の例を示す斜視図である。
【００２８】
本実施形態のラップフィルム用収納箱１００について、フラップＱは、閉蓋時に掩蓋片６が重なる範囲の前板１の長手方向に亘って、折り線Ｓ及び切れ目Ｐにより囲まれる領域に配置されている。ここでフラップＱの一部に折り曲げ可能な折り曲げ片Ｑ’が存在しており、該折り曲げ片Ｑ’を内部方向つまり前板１のほうへ折り曲げ、フラップＱと前板１との間に当該折り曲げ片Ｑ’を介在させると、フラップＱの素材に対する反発力に加えて、折り曲げた折り曲げ片Ｑ’に元の状態に復元しようとする力が働き、該折り曲げ片Ｑ’の底縁Ｂと前板１とが接触し、前板１に該折り曲げ片Ｑ’の復元力に対する反発力が働く為、フラップＱの浮き幅はさらに増大する。この為使用者がフィルムを引き出す際は、フラップＱ及び折り曲げ片Ｑ’の重なりにより浮いたフィルムの先端部を摘まむことにより、容易に引出し操作を行うことができる。
【００２９】
なお、フラップＱの個数、大きさは特に限定されず、例えば、前板１の長手方向の中央部を含む少なくとも１か所たとえば３か所にフラップＱ、Ｑ１、Ｑ２を設けることができる（図４（Ｂ）参照）。あるいは、前板１の長手方向の中央部を除く複数か所たとえば２か所にフラップＱ、Ｑ１を設けることもできる（図４（Ａ）参照）。
【００３０】
本実施形態のラップフィルム用収納箱１００のフラップＱに設けられた折り曲げ片Ｑ’は、ラップフィルム用収納箱１００の内部方向に曲げた場合、外部方向に曲げた場合、双方共に浮き幅増大効果がある。折り曲げ片Ｑ’をラップフィルム用収納箱１００の外部方向に折り曲げると、折り曲げに対し復元しようとする力が働くため、前板１から折り曲げ片Ｑ’までの距離は増大する。ただし、折り曲げ片Ｑ’を外部方向に折り曲げることにより折り曲げ片Ｑ’の端部がフィルムと接触し、フィルムに傷がつき、切れの発生の原因となりうる、折り曲げ片Ｑ’と接触しうる個所が無いため元の状態に復元されやすい、というデメリットがある為、内側方向に折り曲げられていることが最も望ましい形状となる。
【００３１】
折り曲げ片Ｑ’の配置は、フラップＱの下部に配置されていればどこでもよく、図１から図４に示すようにフラップＱの範囲内であれば特に限定されはしない。
【００３２】
折り曲げ片Ｑ’の位置、範囲、大きさは、図１から図４に示すようにフラップＱの長手方向の範囲内にあれば特に限定されはしないが、フラップＱと折り曲げ片Ｑ’とを分ける折り線Ａの長さａと、折り曲げ片Ｑ’の底縁Ｂの長さｂ、との長さの関係がａ＜ｂとなっていることが望ましく、当該折り曲げ片Ｑ’の面積がフラップＱの領域面積よりも小さいことがさらに望ましく、折り曲げ片Ｑ’の長手方向の端部が、前板１の中央部から長手方向両端へ向かって50mmまでの位置に設けられていることがより望ましい。なお、折り曲げ片Ｑ’の底縁Ｂは折り線Ａに平行な直線に限らず、曲線で構成されていてもよいし、傾斜した直線の組み合わせで構成されていてもよい（図３（Ｃ）参照）。
【００３３】
本実施形態の折り曲げ片Ｑ’の折り曲げのタイミングは、ラップフィルム用収納箱１００の組立から製品としてフィルムを切断する操作までの時間軸内であれば特に限定されはしないが、ラップフィルム用収納箱１００の開封時に使用者の手で折り曲げることにより、折り曲げ片Ｑ’の折り曲げに対する復元力が、製品として既に折り曲げられている場合よりもさらに向上し、フラップＱの浮き幅がさらに増大する。この場合、折り曲げ片Ｑ’を折り曲げるかどうかは使用者の任意となる。折り曲げる場合は、折り曲げ片Ｑ’をラップフィルム用収納箱１００の外部方向へ向けて引っ張ってから蓋板５の方へ押上げ、折り線Ａから折り返すことで、容易に折り曲げ片Ｑ’を折り曲げることができる。この際に折り返した折り曲げ片Ｑ’が元に戻ることを防ぐために、係止部Ｖが設けられていることが望ましい。係止部Ｖはアクリル系やウレタン系、ゴム系の各種粘着剤を用いてもよいが、折り曲げ片Ｑ’の底縁Ｂの長手方向の長さｂが、折り曲げ片Ｑ’の部位間で最短にならないような設計にすることにより、折り曲げた後の折り曲げ片Ｑ’が元に戻ろうとした際に長手方向の長さの差により生じた係止部Ｖに引っ掛かり、このとき、係止部Ｖがストッパーとして機能する為、コストをかけずに容易にフラップＱを係止することができる。
【００３４】
なお、本実施形態のフラップＱにエンボスＥを付与することによって、折り曲げ片Ｑ’の折り曲げに対する復元力による前板１との接触に起因する前板１の反発力に加えて、フラップＱの浮き幅をさらに増大することができる。エンボスＥは図１から図５に示すフラップＱの範囲内であれば特に限定されはしないが、エンボスＥをラップフィルム用収納箱１００の外側方向（以後凸方向）に付与する場合は、エンボスＥをフラップＱの中央部に付与し、あるいは、エンボスＥをラップフィルム用収納箱１００の内側方向（以後凹方向）に付与する場合は、エンボスＥを、フラップ中央部を挟んで両側に付与することで、よりフラップＱの浮き幅を増大することができる。
【００３５】
本実施形態のラップフィルム用収納箱１００について、フラップＱを形成する切れ目Ｐの形状は、図１や図４に示すように、閉蓋時に掩蓋片６と重なる前板１の範囲内であれば特に限定されはしないが、長手方向の中央部を含む形状であることが望ましく、切れ目Ｐの最も底板２に近い部分は閉蓋時に切断刃Ｋと高さ方向で重なる状態であることが望ましい。この場合、蓋体Ｎを開ける時に、掩蓋片６の裏面に取り付けた切断刃Ｋによって形成される段差部分にフラップＱの先端部が合致して（引っ掛かって）抵抗を発生することを防止できる。また、例えば図７に示すように、前板１側に切れ残ったフィルム端部をつまみ易くするために、フラップＱの先端部となる切れ目Ｐの少なくとも中央部に折り線Ｓに向かうよう設けられていることが望ましい。
【００３６】
本実施形態のラップフィルム用収納箱１００に採用される材質としては、コートボール紙、各種ダンボール、プラスチックス等特に制限はないが、生産性とコストの面から坪量３５０ｇ／ｍ2〜５５０ｇ／ｍ2のコートボール紙を採用することが望ましい。また、収納室Ｍの側面（脇板４や補助脇板１４）に公知の巻筒体の飛び出し防止手段を設けることが望ましい。
【００３７】
また、切断刃Ｋの材質としては、金属、プラスチック、紙（強化紙含む）等特に制限はないが、フィルムのカット性を維持する観点からは金属製の切断刃が望ましい。
【００３８】
更に、フィルム仮留め部材Ｒの材質については、アクリル系やウレタン系、ゴム系の各種粘着剤を用いてもよいが、粘着性を持つ場合は汚れの付着による密着力の低下や外観の悪化が発生し易いので、フィルムとの親和性で密着を発現するＵＶ架橋硬化性アクリル系エステル樹脂を用いることが望ましい。
【００３９】
尚、図１に示した縁折片１０の両端部にガイド片１２を示しているが、これは図１で示されるカートンブランクの各長辺を折り曲げて開封片８の裏面と前板１の下端側を貼り付けて扁平状の筒体とした、所謂サック貼り状態とした後、この扁平した筒体を四角状に形成し、左右何れかの開口部からフィルムが巻き付けられた巻筒体を挿入する時のフィルム端部の傷付き防止に効果を発揮する。即ち、ガイド片１２によれば、縁折片１０を前板１の裏面に貼り付けると上記した開口部の前板１側には縁折片１０の厚み分による段差が発生しなくなるため、その部分に巻筒体のフィルム端部が接触して傷付きを防止することができる。よって、縁折片両側にガイド片１２を設置することが望ましい。
【実施例１】
【００４０】
以下、実施例に基づいて説明するが、これらは本発明の範囲を不当に制限するものではない。
【００４１】
[評価基準]
１．フラップ中央部の浮き上がり高さ
各実施例及び比較例で示した設計の、プレス実施から２４時間後の展開箱（折り線Ｓで折り曲げたもの）を各５個ずつ用意し、各フラップＱの中央部のフィルムと、前板１に対する浮き幅を測定した。比較例１の中央部の浮き幅を基準として、優劣の評価を行った。
【００４２】
２．フラップ中央部の反発力
各実施例及び比較例で示した設計の、プレス実施から２４時間後の展開箱（折り線Ｓで折り曲げたもの）を各５個ずつ用意し、各フラップＱの中央部に、前板１の垂直方向からフラップＱの中央部に向けてフォースゲージ（日本電産シンポ株式会社製ＦＧＸ）を押し付け、フラップＱが前板１に達するまでの反発力を測定した。比較例１の反発力を基準として優劣の評価を行った。
[実施例１]
【００４３】
図１に示したラップフィルム用収納箱１００の展開図において、高さ約４４ｍｍ、奥行き約４４ｍｍ、長さ約３１５ｍｍの寸法となる収納箱であり、前板１の長さが３１０ｍｍ、フラップＱの最大高さ（折り線Ｓから最も底板２に近い切れ目Ｐの先端部までの長さ）が２４ｍｍ、掩蓋片６の高さ約３０ｍｍの裏面先端部のほぼ全域に亘って高さ約８ｍｍのブリキ製切断刃Ｋを設置し、その先端部約２ｍｍを開封片８側へ突出させ、さらにフラップＱの中央部を裏側に折り曲げる折り曲げ片Ｑ’を付与する設計のカートンブランクを坪量４５０ｇ／ｍ２のコートボール紙で作成した。また、フラップＱの中央部には高さ１０ｍｍ、長さ５０ｍｍの範囲に、ポリ塩化ビニリデン製ラップフィルムを貼り付けた後のＪＩＳ  Ｚ  ０２３７に準拠した垂直剥離力が約５０ｃＮ／５０ｍｍであるＵＶ架橋硬化性アクリル系エステル樹脂を塗布してフィルム仮留め部材Ｒとした。このカートンブランクの折り線Ｓを折り曲げ、オートプレス成形機（（株）東洋精機製作所製Ｐ２−３０Ｔ）で２０ＭＰa・３０秒プレスし、２４時間放置後に折り曲げ片Ｑ’を収納箱の内部方向に折り曲げ、フラップ中央部の浮き幅、及びフラップ中央部の反発力を評価した。
[実施例２〜５]
【００４４】
図３（Ａ）〜（Ｄ）に示す図の通り、フラップＱに付与する折り曲げ片Ｑ’の形状を変更した以外は実施例１と同様にして収納箱を作成し、評価した。
[実施例６〜１０]
【００４５】
図１，図３（Ａ）〜（Ｄ）に示す図の、フラップＱに付与する折り曲げ片Ｑ’を収納箱の外部方向に付与した以外は実施例１〜５と同様にして収納箱を作成して評価した。
[実施例１１、１２]
【００４６】
図４に示す図の、フラップＱ、Ｑ１及びＱ２に折り曲げ片Ｑ’、Ｑ１’及びＱ２’を付与した以外は実施例１と同様にして収納箱を作成し、評価した。
[実施例１３]
【００４７】
図５に示す図の、フラップＱに付与するエンボスＥを凸方向に付与した以外は実施例１と同様にして収納箱を作成して評価した。
[実施例１４]
【００４８】
図５に示す図の、フラップＱに付与するエンボスＥを凹方向に付与した以外は実施例１と同様にして収納箱を作成して評価した。
[比較例１]
【００４９】
図６に示した収納箱であり、実施例１と同様にして収納箱を作成し、評価した。なお、理解しやすいよう、各実施例に係るラップフィルム用収納箱と同じ構成には同じ符号を付している。
【００５０】
[結果]
【００５１】
図８に示す通り、実施例１〜１４は、フラップＱの浮き幅が比較例１より高く、特に実施例１３、１４のエンボス形状が浮き幅が大きくなることが認められた。
【００５２】
実施例１〜５は、フラップＱの反発力に加え、折り曲げ片Ｑ’による反発力が付加された為であると考えられる。
【００５３】
実施例６〜１０は、折り曲げ片Ｑ’の外側の反発力によって若干の効果が認められたが、フラップＱの折り畳みの係止部Ｖが無く、復元する作用が働いた為、効果が薄くなったと考えられる。
【００５４】
実施例１３、１４は、エンボスＥを凸方向あるいは凹方向に付与したことでフラップＱの浮き幅が増大し、折り曲げ片Ｑ’による反発力による浮き幅向上に上乗せされたものと考えられる。
【００５５】
実施例１１、１２のように、独立したフラップＱ、Ｑ１、Ｑ２にそれぞれ折り曲げ片Ｑ’、Ｑ１’、Ｑ２’を付与した場合、それぞれのフラップの浮き上がり効果は表れた。
【００５６】
また、図９に示す通り、フラップＱの中央部の反発力においても全ての実施例が比較例１より高くなった。
【００５７】
実施例１〜１０は、フラップＱの反発力に加え、折り曲げ片Ｑ’よる反発力が付加された為であると考えられる。
【００５８】
実施例１３、１４は、実施例１〜１０の反発力に加え、エンボスＥの付与によって中央部の反発力が向上し、折り曲げ片Ｑ’の付与による反発力に上乗せされたものと考えられる。
【００５９】
実施例１１、１２のように独立したフラップＱ、Ｑ１、Ｑ２にそれぞれ折り曲げ片Ｑ’、Ｑ１’、Ｑ２’を付与した場合、それぞれのフラップＱ、Ｑ１、Ｑ２の反発力は比較例１よりも増加した。フラップＱの領域が小さい場合でも、及びフラップＱが複数存在する場合でも、効果があることが示唆される。
【産業上の利用可能性】
【００６０】
本発明のラップフィルム用収納箱は、各種ラップフィルムを巻回した巻物の収納箱として、特に食品包装用のラップフィルム用収納箱として好適に用いられる。
【符号の説明】
【００６１】
１：前板
２：底板
３：後板
４：脇板
５：蓋板
６：掩蓋片
７：切り取り線
８：開封片
９：掩蓋片脇板
１０：縁折片
１１：突出片
１２：ガイド片
１３：補助脇板
１４：補助脇板
１５：補助脇板
１００：ラップフィルム用収納箱
Ａ：折り線
Ｂ：底縁
Ｅ：エンボス
Ｋ：切断刃
Ｍ：収納室
Ｎ：蓋体
Ｐ：切れ目
Ｑ：フラップ
Ｑ’ :折り曲げ片
Ｑ１ ：フラップ
Ｑ１’：折り曲げ片
Ｑ２ ：フラップ
Ｑ２’：折り曲げ片
Ｒ：フィルム仮留め部材
Ｓ：折り線
Ｔ：折り線
Ｖ：係止部
【図１】
2017007678.tif 000003
【図２】
2017007678.tif 000004
【図３】
2017007678.tif 000005
【図４】
2017007678.tif 000006
【図５】
2017007678.tif 000007
【図６】
2017007678.tif 000008
【図７】
2017007678.tif 000009
【図８】
2017007678.tif 000010
【図９】
2017007678.tif 000011